(57)【要約】  【課題】  ハレーションタイプ逆光時には鮮明な被写体の映像をモニタ親機に提供できない。  【解決手段】  シャッターパルスに応じて被写体の映像を撮像するＣＣＤ１１と、撮像した被写体の映像に対して設定中のガンマ設定値及びニー設定値に基づき画像処理を施すガンマ補正部１６及びニー補正部１７とを備えたカメラ子機２と、カメラ子機からの映像信号を表示出力する表示部３２を備えたモニタ親機３とを有するテレビドアホン装置１であって、ハレーションタイプ逆光用のガンマ設定値及びニー設定値、スピード閾値を記憶した記憶部２３と、シャッターパルスに応じてシャッタースピードを検出するシャッタースピード検出部２２と、シャッタースピードがスピード閾値を超えたと判定されると、ガンマ補正部及びニー補正部のガンマ設定値及びニー設定値をハレーションタイプ逆光用のガンマ設定値及びニー設定値に設定変更する子機側制御部２６とを有している。【選択図】  図１
2006325132.tif 000002
【特許請求の範囲】
【請求項１】
入射光の強さに応じて変動するシャッターパルスに応じて被写体の映像を撮像する撮像手段と、前記撮像手段にて撮像した前記被写体の映像に対して設定中のガンマ設定値に基づき画像処理を施す画像処理手段とを備えたカメラ子機と、前記画像処理手段にて画像処理を施した前記被写体の映像を表示出力する表示手段を備えたモニタ親機とを有するテレビドアホン装置であって、
ハレーションタイプ逆光時に対応したハレーションタイプ逆光用のガンマ設定値及びスピード閾値を記憶した記憶手段と、
前記撮像手段へのシャッターパルスに応じてシャッタースピードを検出するスピード検出手段と、
前記スピード検出手段にて検出したシャッタースピードが、前記記憶手段に記憶中のスピード閾値を超えたか否かを判定するスピード判定手段と、
前記スピード判定手段にてシャッタースピードがスピード閾値を超えたと判定されると、前記画像処理手段にて設定中のガンマ設定値を、前記記憶手段に記憶中の前記ハレーションタイプ逆光用のガンマ設定値に設定変更する制御手段とを有することを特徴とするテレビドアホン装置。
【請求項２】
前記カメラ子機は、
前記記憶手段、前記スピード検出手段、前記スピード判定手段及び前記制御手段を備えたことを特徴とする請求項1記載のテレビドアホン装置。
【請求項３】
前記カメラ子機は、
前記記憶手段に記憶中の複数のガンマ設定値の内、所定操作に応じて、前記ハレーションタイプ逆光用のガンマ設定値を指定する設定値指定手段を有することを特徴とする請求項１又は２記載のテレビドアホン装置。
【請求項４】
前記カメラ子機は、
前記記憶手段に記憶中の複数のスピード閾値の内、所定操作に応じて、前記スピード判定手段のスピード閾値を指定するスピード閾値指定手段を有することを特徴とする請求項１，２又は３記載のテレビドアホン装置。
【請求項５】
前記モニタ親機は、
前記記憶手段に記憶中の複数のガンマ設定値の内、所定操作に応じて、前記ハレーションタイプ逆光用のガンマ設定値を指定する親機側設定値指定手段を有することを特徴とする請求項１，２，３又は４記載のテレビドアホン装置。
【請求項６】
前記モニタ親機は、
前記記憶手段に記憶中の複数のスピード閾値の内、所定操作に応じて、前記スピード判定手段のスピード閾値を指定する親機側スピード閾値指定手段を有することを特徴とする請求項１，２，３，４又は５記載のテレビドアホン装置。
【請求項７】
前記制御手段は、
前記モニタ親機に配置した逆光補正ボタンのボタン操作を検出すると、前記画像処理手段にて設定中のガンマ設定値を、前記記憶手段に記憶中のハレーションタイプ逆光用のガンマ設定値に設定変更することを特徴とする請求項１，２，３，４，５又は６記載のテレビドアホン装置。
【請求項８】
入射光の強さに応じて変動するシャッターパルスに応じて被写体の映像を撮像する撮像手段と、前記撮像手段にて撮像した前記被写体の映像に対して設定中のガンマ設定値に基づき画像処理を施す画像処理手段とを備えたカメラ子機と、前記画像処理手段にて画像処理を施した前記被写体の映像を表示出力する表示手段を備えたモニタ親機とを有するテレビドアホン装置であって、
スピード閾値毎にハレーションタイプ逆光時に対応したハレーションタイプ逆光用のガンマ設定値を夫々記憶した記憶手段と、
前記撮像手段へのシャッターパルスに応じてシャッタースピードを検出するスピード検出手段と、
前記スピード検出手段にて検出したシャッタースピードを前記記憶手段に記憶中の各スピード閾値と比較するスピード比較手段と、
前記スピード比較手段の比較結果に基づき最適なスピード閾値を指定し、前記画像処理手段にて設定中のガンマ設定値を、前記記憶手段に記憶中の最適なスピード閾値に対応するハレーションタイプ逆光用のガンマ設定値に設定変更する制御手段とを有することを特徴とするテレビドアホン装置。
【請求項９】
入射光の強さに応じて変動するシャッターパルスに応じて被写体の映像を撮像する撮像手段を備え、前記撮像手段にて撮像した前記被写体の映像信号を出力するカメラ子機と、前記カメラ子機からの前記被写体の映像を表示出力する表示手段を備えたモニタ親機とを有するテレビドアホン装置であって、
前記モニタ親機は、
ハレーションタイプ逆光時に対応したハレーションタイプ逆光用のガンマ設定値を記憶した親機側記憶手段と、
前記カメラ子機からの前記被写体の映像信号に対して、設定中のガンマ設定値に基づく画像処理を施す親機側画像処理手段と、
逆光補正ボタンのボタン操作を検出すると、前記親機側画像処理手段にて設定中のガンマ設定値を、前記親機側記憶手段に記憶中のハレーションタイプ逆光用のガンマ設定値に設定変更する親機側制御手段とを有することを特徴とするテレビドアホン装置。
【請求項１０】
前記モニタ親機は、
前記親機側記憶手段に記憶中の複数のガンマ設定値の内、所定操作に応じて、前記ハレーションタイプ逆光用のガンマ設定値を指定する親機側設定値指定手段を有することを特徴とする請求項９記載のテレビドアホン装置。
【請求項１１】
前記ガンマ設定値は、ニー設定値を含み、前記ガンマ設定値に基づき画像処理を施した後に前記ニー設定値に基づき画像処理を施すことを特徴とする請求項１，２，３，４，５，６，７，８，９又は１０記載のテレビドアホン装置。
【請求項１２】
入射光の強さに応じて変動するシャッターパルスに応じて被写体の映像を撮像する撮像手段と、前記撮像手段にて撮像した前記被写体の映像に対して設定中のガンマ設定値に基づき画像処理を施す画像処理手段とを備えたカメラ子機と、前記画像処理手段にて画像処理を施した前記被写体の映像を表示出力する表示手段を備えたモニタ親機とを有するテレビドアホン装置の逆光補正方法であって、
前記撮像手段へのシャッターパルスに応じてシャッタースピードを検出するステップと、
この検出したシャッタースピードが記憶中のスピード閾値を超えたか否かを判定するステップと、
このシャッタースピードがスピード閾値を超えたと判定されると、前記画像処理手段にて設定中のガンマ設定値を、記憶中のハレーションタイプ逆光時に対応したハレーションタイプ逆光用のガンマ設定値に設定変更するステップとを有することを特徴とするテレビドアホン装置の逆光補正方法。
【請求項１３】
前記ガンマ設定値は、ニー設定値を含み、前記ガンマ設定値に基づき画像処理を施した後に前記ニー設定値に基づき画像処理を施すことを特徴とする請求項１２記載のテレビドアホン装置の逆光補正方法。
【発明の詳細な説明】
【技術分野】
【０００１】
本発明は、入射光の強さに応じて変動するシャッターパルスに応じて被写体、例えば訪問者の映像を撮像する撮像素子（ＣＣＤ）等の撮像手段を備え、玄関に配置されたカメラ子機と、このカメラ子機にて撮像された被写体の映像を表示出力する表示部等の表示手段を備え、室内に配置されたモニタ親機とを有するテレビドアホン装置及びテレビドアホン装置の逆光補正方法に関する。
【背景技術】
【０００２】
従来、このようなカメラ子機及びモニタ親機で構成する従来のテレビドアホン装置としては、訪問者がＣＣＤ撮像の映像画面の中央に位置すれば、背景の明るさに関係なく適正な露出が得られるが、訪問者が画面の中央に位置しなければ逆光によって適性な露出が得られず、その結果、訪問者の映像がモニタ子機側の表示部に黒く表示されてしまう。また、一般的にテレビドアホン装置は、広角なレンズを使用することが多いため、仮に訪問者が画面中央に位置したとしても、背景が明るい場合には訪問者の顔が暗くなってしまうといった事態が考えられる。
【０００３】
そこで、このような事態に対処すべく、逆光の場合に訪問者が画面中央に位置しなくても適正な露出が得られるようにしたテレビドアホン装置が知られている(例えば特許文献１参照)。
【０００４】
この特許文献１によれば、ＣＣＤにて撮像した訪問者の映像信号の輝度レベルが所定レベルよりも高くなると露出を絞り、輝度レベルが所定レベルよりも低くなると露出を開くようにしたので、逆光の場合に訪問者が画面中央に位置しなくても適正な露出を得ることができる。
【０００５】
しかしながら、上記特許文献１によれば、訪問者が影になって同訪問者の顔が黒く表示され、その結果、同訪問者の顔が判別できなくなるような真の逆光に対しては十分効果を発揮することができるものの、光が差し込んで訪問者の顔が白くぼやけて判別できなくなるハレーションタイプの逆光に対しては同訪問者の顔が一層白くぼやけしまうため、同訪問者の顔を判別することができないといった事態が生じている。
【０００６】
また、テレビドアホン装置の技術分野ではないが、ビデオカメラの技術分野においては、ハレーションタイプの逆光に対して逆光補正を行う技術が知られている(例えば特許文献２参照)。
【０００７】
この特許文献２によれば、入射光の絞り値及び映像信号レベルを夫々検出し、映像信号及び絞り値に基づき被写体が過順光、すなわちハレーションタイプの逆光であるか否かを判定し、ハレーションタイプ逆光であると判定されると、絞りを閉じて映像信号レベルを下げるように補正するようにしたので、ハレーションタイプの逆光に対しても被写体が白くぼやけてしまうような事態を解消することができる。
【特許文献１】特開平８−７９６０１号公報（要約書及び図1参照）
【特許文献２】特開平５−６８２０６号公報（要約書及び図1参照）
【発明の開示】
【発明が解決しようとする課題】
【０００８】
しかしながら、上記特許文献２によれば、ビデオカメラを発明対象とし、ハレーションタイプの逆光に対して絞りを閉じることで映像信号レベルを下げるように補正し、その結果、ハレーションタイプの逆光に対応することも可能であるが、このようなビデオカメラと比較して、一般的にテレビドアホン装置に求められる高い画像精度、すなわち玄関外側の訪問者の顔が判別できる鮮明な画像精度を考慮すると、防犯上の観点からもハレーションタイプの逆光に対して十分な画像精度が得られるようにすることが強く求められているのが実情である。
【０００９】
そこで、本発明は、上記点に鑑みてなされたものであり、その目的とするところは、防犯上の観点からハレーションタイプの逆光に対しても十分な画像精度を得ることができるテレビドアホン装置及びテレビドアホン装置の逆光補正方法を提供することにある。
【課題を解決するための手段】
【００１０】
上記目的を達成するために本発明のテレビドアホン装置は、入射光の強さに応じて変動するシャッターパルスに応じて被写体の映像を撮像する撮像手段と、前記撮像手段にて撮像した前記被写体の映像に対して設定中のガンマ設定値に基づき画像処理を施す画像処理手段とを備えたカメラ子機と、前記画像処理手段にて画像処理を施した前記被写体の映像を表示出力する表示手段を備えたモニタ親機とを有するテレビドアホン装置であって、ハレーションタイプ逆光時に対応したハレーションタイプ逆光用のガンマ設定値及びスピード閾値を記憶した記憶手段と、前記撮像手段へのシャッターパルスに応じてシャッタースピードを検出するスピード検出手段と、前記スピード検出手段にて検出したシャッタースピードが、前記記憶手段に記憶中のスピード閾値を超えたか否かを判定するスピード判定手段と、前記スピード判定手段にてシャッタースピードがスピード閾値を超えたと判定されると、前記画像処理手段にて設定中のガンマ設定値を、前記記憶手段に記憶中の前記ハレーションタイプ逆光用のガンマ設定値に設定変更する制御手段とを有するようにした。
【発明の効果】
【００１１】
上記のように構成した本発明のテレビドアホン装置によれば、前記撮像手段へのシャッターパルスに応じてシャッタースピードを検出し、このシャッタースピードがスピード閾値を超えたと判定されると、前記画像処理手段にて設定中のガンマ設定値を、前記記憶手段に記憶中のハレーションタイプ逆光用のガンマ設定値に設定変更するようにしたので、ハレーションタイプの逆光が発生したとしても、シャッタースピードに基づきハレーションタイプの逆光状態を判別できると共に、同ハレーションタイプ逆光用のガンマ設定値に基づき被写体の映像信号に画像処理(逆光補正)を施すことで、防犯上の観点からも、ハレーションタイプの逆光に適応した十分な画像精度を得ることができ、その結果、モニタ親機側に訪問者の鮮明な映像を提供することができる。
【発明を実施するための最良の形態】
【００１２】
本願請求項１記載のテレビドアホン装置は、入射光の強さに応じて変動するシャッターパルスに応じて被写体の映像を撮像する撮像手段と、前記撮像手段にて撮像した前記被写体の映像に対して設定中のガンマ設定値に基づき画像処理を施す画像処理手段とを備えたカメラ子機と、前記画像処理手段にて画像処理を施した前記被写体の映像を表示出力する表示手段を備えたモニタ親機とを有するテレビドアホン装置であって、ハレーションタイプ逆光時に対応したハレーションタイプ逆光用のガンマ設定値及びスピード閾値を記憶した記憶手段と、前記撮像手段へのシャッターパルスに応じてシャッタースピードを検出するスピード検出手段と、前記スピード検出手段にて検出したシャッタースピードが、前記記憶手段に記憶中のスピード閾値を超えたか否かを判定するスピード判定手段と、前記スピード判定手段にてシャッタースピードがスピード閾値を超えたと判定されると、前記画像処理手段にて設定中のガンマ設定値を、前記記憶手段に記憶中の前記ハレーションタイプ逆光用のガンマ設定値に設定変更する制御手段とを有するようにした。
【００１３】
従って、本願請求項１記載のテレビドアホン装置によれば、前記撮像手段へのシャッターパルスに応じてシャッタースピードを検出し、このシャッタースピードがスピード閾値を超えたと判定されると、前記画像処理手段にて設定中のガンマ設定値を、前記記憶手段に記憶中のハレーションタイプ逆光用のガンマ設定値に設定変更するようにしたので、ハレーションタイプの逆光が発生したとしても、シャッタースピードに基づきハレーションタイプの逆光状態を判別できると共に、同ハレーションタイプ逆光用のガンマ設定値に基づき被写体の映像信号に画像処理(逆光補正)を施すことで、防犯上の観点からも、ハレーションタイプの逆光に適応した十分な画像精度を得ることができ、その結果、モニタ親機側に訪問者の鮮明な映像を提供することができる。
【００１４】
本願請求項２記載のテレビドアホン装置は、上記請求項１記載の構成に加えて、前記カメラ子機は、前記記憶手段、前記スピード検出手段、前記スピード判定手段及び前記制御手段を備えるようにした。
【００１５】
従って、本願請求項２記載のテレビドアホン装置によれば、上記請求項１記載の発明の効果に加えて、カメラ子機側でハレーションタイプ逆光用のガンマ設定値に基づき被写体の映像に画像処理を施すようにしたので、カメラ子機は、ハレーションタイプの逆光に適応した十分な画像精度の映像信号をモニタ親機側に提供することができる。
【００１６】
本願請求項３記載のテレビドアホン装置は、上記請求項１又は２記載の構成に加えて、前記カメラ子機は、前記記憶手段に記憶中の複数のガンマ設定値の内、所定操作に応じて、前記ハレーションタイプ逆光用のガンマ設定値を指定する設定値指定手段を有するようにした。
【００１７】
従って、本願請求項３記載のテレビドアホン装置によれば、上記請求項１又は２記載の発明の効果に加えて、カメラ子機側の設定値指定手段にて複数のガンマ設定値からハレーションタイプ逆光用のガンマ設定値を指定するようにしたので、ユーザは、同カメラ子機の設置時に設置環境に適したハレーションタイプ逆光用のガンマ設定値を現場対応で調整することができる。
【００１８】
本願請求項４記載のテレビドアホン装置は、上記請求項１，２又は３記載の構成に加えて、前記カメラ子機は、前記記憶手段に記憶中の複数のスピード閾値の内、所定操作に応じて、前記スピード判定手段のスピード閾値を指定するスピード閾値指定手段を有するようにした。
【００１９】
従って、本願請求項４記載のテレビドアホン装置によれば、上記請求項１，２又は３記載の発明の効果に加えて、カメラ子機側のスピード閾値指定手段にて複数のスピード閾値からスピード閾値を指定するようにしたので、ユーザは、同カメラ子機の設置時に設置環境に適したハレーションタイプ逆光識別用のスピード閾値を現場対応で指定することができる。
【００２０】
本願請求項５記載のテレビドアホン装置は、上記請求項１，２、３又は４記載の構成に加えて、前記モニタ親機は、前記記憶手段に記憶中の複数のガンマ設定値の内、所定操作に応じて、前記ハレーションタイプ逆光用のガンマ設定値を指定する親機側設定値指定手段を有するようにした。
【００２１】
従って、本願請求項５記載のテレビドアホン装置によれば、上記請求項１，２，３又は４記載の発明の効果に加えて、モニタ親機側の親機側設定値指定手段にて複数のガンマ設定値からハレーションタイプ逆光用のガンマ設定値を指定するようにしたので、ユーザは、モニタ親機側の表示手段の映像を確認しながら、カメラ子機の設置時に設置環境に適したハレーションタイプ逆光用のガンマ設定値を現場対応で遠隔調整することができる。また、同様にユーザは、カメラ子機の設置時だけでなく、運用時においても、モニタ親機側の表示手段の映像を確認しながら、現在設置環境に適したハレーションタイプ逆光用のガンマ設定値をリアルタイムに遠隔調整することもできる。
【００２２】
本願請求項６記載のテレビドアホン装置は、上記請求項１，２，３，４又は５記載の構成に加えて、前記モニタ親機は、前記記憶手段に記憶中の複数のスピード閾値の内、所定操作に応じて、前記スピード判定手段のスピード閾値を指定する親機側スピード閾値指定手段を有するようにした。
【００２３】
従って、本願請求項６記載のテレビドアホン装置によれば、上記請求項１，２，３，４又は５記載の発明の効果に加えて、モニタ親機側の親機側スピード閾値指定手段にて複数のスピード閾値から所望のスピード閾値を指定するようにしたので、ユーザは、モニタ親機側の表示手段の映像を確認しながら、カメラ子機の設置時に設置環境に適したハレーションタイプ逆光識別用のスピード閾値を現場対応で遠隔調整することができる。また、同様にユーザは、カメラ子機の設置時だけでなく、運用時においても、モニタ親機側の表示手段の映像を確認しながら、現在設置環境に適したハレーションタイプ逆光識別用のスピード閾値をリアルタイムに遠隔調整することもできる。
【００２４】
本願請求項７記載のテレビドアホン装置は、上記請求項１，２，３，４，５又は６記載の構成に加えて、前記制御手段は、前記モニタ親機に配置した逆光補正ボタンのボタン操作を検出すると、前記画像処理手段にて設定中のガンマ設定値を、前記記憶手段に記憶中のハレーションタイプ逆光用のガンマ設定値に設定変更するようにした。
【００２５】
従って、本願請求項７記載のテレビドアホン装置によれば、上記請求項１，２，３，４，５又は６記載の発明の効果に加えて、前記モニタ親機に配置した逆光補正ボタンのボタン操作を検出すると、前記画像処理手段にて設定中のガンマ設定値を、前記記憶手段に記憶中のハレーションタイプ逆光用のガンマ設定値に設定変更するようにしたので、ユーザは、シャッタースピードがスピード閾値を超えなくても、モニタ親機側の遠隔操作でハレーションタイプ逆光用のガンマ設定値に設定変更することができる。
【００２６】
本願請求項８記載のテレビドアホン装置は、入射光の強さに応じて変動するシャッターパルスに応じて被写体の映像を撮像する撮像手段と、前記撮像手段にて撮像した前記被写体の映像に対して設定中のガンマ設定値に基づき画像処理を施す画像処理手段とを備えたカメラ子機と、前記画像処理手段にて画像処理を施した前記被写体の映像を表示出力する表示手段を備えたモニタ親機とを有するテレビドアホン装置であって、スピード閾値毎にハレーションタイプ逆光時に対応したハレーションタイプ逆光用のガンマ設定値を夫々記憶した記憶手段と、前記撮像手段へのシャッターパルスに応じてシャッタースピードを検出するスピード検出手段と、前記スピード検出手段にて検出したシャッタースピードを前記記憶手段に記憶中の各スピード閾値と比較するスピード比較手段と、前記スピード比較手段の比較結果に基づき最適なスピード閾値を指定し、前記画像処理手段にて設定中のガンマ設定値を、前記記憶手段に記憶中の最適なスピード閾値に対応するハレーションタイプ逆光用のガンマ設定値に設定変更する制御手段とを有するようにした。
【００２７】
従って、本願請求項８記載のテレビドアホン装置によれば、スピード閾値毎にハレーションタイプ逆光時に対応したハレーションタイプ逆光用のガンマ設定値を夫々記憶しておき、前記撮像手段へのシャッターパルスに応じてシャッタースピードを検出し、このシャッタースピードと各スピード閾値とを比較し、この比較結果に基づき最適なスピード閾値を指定し、前記画像処理手段にて設定中のガンマ設定値を、前記記憶手段に記憶中の最適なスピード閾値に対応するハレーションタイプ逆光用のガンマ設定値に設定変更するようにしたので、ハレーションタイプの逆光が発生したとしても、シャッタースピードに基づきハレーションタイプの逆光状態をきめ細かく判別できると共に、逆光状態毎に異なる同ハレーションタイプ逆光用のガンマ設定値に基づき被写体の映像信号に画像処理(逆光補正)を施すことで、防犯上の観点からも、ハレーションタイプの逆光の程度に適応したきめ細かい十分な画像精度を得ることができ、その結果、モニタ親機側に訪問者の鮮明な映像を提供することができる。
【００２８】
本願請求項９記載のテレビドアホン装置は、入射光の強さに応じて変動するシャッターパルスに応じて被写体の映像を撮像する撮像手段を備え、前記撮像手段にて撮像した前記被写体の映像信号を出力するカメラ子機と、前記カメラ子機からの前記被写体の映像を表示出力する表示手段を備えたモニタ親機とを有するテレビドアホン装置であって、前記モニタ親機は、ハレーションタイプ逆光時に対応したハレーションタイプ逆光用のガンマ設定値を記憶した親機側記憶手段と、前記カメラ子機からの前記被写体の映像信号に対して、設定中のガンマ設定値に基づく画像処理を施す親機側画像処理手段と、逆光補正ボタンのボタン操作を検出すると、前記親機側画像処理手段にて設定中のガンマ設定値を、前記親機側記憶手段に記憶中のハレーションタイプ逆光用のガンマ設定値に設定変更する親機側制御手段とを有するようにした。
【００２９】
従って、本願請求項９記載のテレビドアホン装置によれば、モニタ親機側にて逆光補正ボタンのボタン操作を検出すると、前記親機側画像処理手段にて設定中のガンマ設定値を、前記親機側記憶手段に記憶中のハレーションタイプ逆光用のガンマ設定値に設定変更するようにしたので、既存のカメラ子機に変更を加えることなく、ハレーションタイプの逆光が発生したとしても、モニタ親機側で同ハレーションタイプ逆光用のガンマ設定値に基づき被写体の映像信号に画像処理(逆光補正)を施すことで、防犯上の観点からも、ハレーションタイプの逆光に適応した十分な画像精度を得ることができ、その結果、訪問者の鮮明な映像を得ることができる。また、既存のテレビドアホン装置のモニタ親機だけを変えて既存のカメラ子機に変更を加える必要がないため、本願発明のシステム導入に要するコストを大幅に軽減することができる。
【００３０】
本願請求項１０記載のテレビドアホン装置は、本願請求項９記載の発明の構成に加えて、前記モニタ親機は、前記親機側記憶手段に記憶中の複数のガンマ設定値の内、所定操作に応じて、前記ハレーションタイプ逆光用のガンマ設定値を指定する親機側設定値指定手段を有するようにした。
【００３１】
従って、本願請求項１０記載のテレビドアホン装置によれば、本願請求項９記載の発明の効果に加えて、モニタ親機側の親機側設定値指定手段にて複数のガンマ設定値からハレーションタイプ逆光用のガンマ設定値を指定するようにしたので、ユーザは、モニタ親機側の表示手段の映像を確認しながら、同モニタ親機の設置時にカメラ子機の設置環境に適したハレーションタイプ逆光用のガンマ設定値を現場対応で調整することができる。また、同様にユーザは、カメラ親機の設置時だけでなく、運用時においても、モニタ親機側の表示手段の映像を確認しながら、現在設置環境に適したハレーションタイプ逆光用のガンマ設定値をリアルタイムに遠隔調整することができる。
【００３２】
本願請求項１１記載のテレビドアホン装置は、本願請求項１，２，３，４，５，６，７，８，９又は１０記載の構成に加えて、前記ガンマ設定値は、ニー設定値を含み、前記ガンマ設定値に基づき画像処理を施した後に前記ニー設定値に基づき画像処理を施すようにした。
【００３３】
従って、本願請求項１１記載のテレビドアホン装置によれば、本願請求項１，２，３，４，５，６，７，８，９又は１０記載の発明の効果に加えて、前記ガンマ設定値が、ニー設定値を含み、前記ガンマ設定値に基づき画像処理を施した後に前記ニー設定値に基づき画像処理を施した、つまり、ガンマ設定値に基づき画像処理(ガンマ補正処理)を施すことで、逆光による被写体の映像が陰になるのを解消し、その後、ニー設定値に基づき画像処理（ニー補正処理）を施すことで、ガンマ補正前の明るい部分が白くなるのを解消することができ、その結果、モニタ親機側に訪問者の鮮明な映像を提供することができる。
【００３４】
本願請求項１２記載のテレビドアホン装置の逆光補正方法は、入射光の強さに応じて変動するシャッターパルスに応じて被写体の映像を撮像する撮像手段と、前記撮像手段にて撮像した前記被写体の映像に対して設定中のガンマ設定値に基づき画像処理を施す画像処理手段とを備えたカメラ子機と、前記画像処理手段にて画像処理を施した前記被写体の映像を表示出力する表示手段を備えたモニタ親機とを有するテレビドアホン装置の逆光補正方法であって、前記撮像手段へのシャッターパルスに応じてシャッタースピードを検出するステップと、この検出したシャッタースピードが記憶中のスピード閾値を超えたか否かを判定するステップと、このシャッタースピードがスピード閾値を超えたと判定されると、前記画像処理手段にて設定中のガンマ設定値を、記憶中のハレーションタイプ逆光時に対応したハレーションタイプ逆光用のガンマ設定値に設定変更するステップとを有するようにした。
【００３５】
従って、本願請求項１２記載のテレビドアホン装置の逆光補正方法によれば、前記撮像手段へのシャッターパルスに応じてシャッタースピードを検出し、このシャッタースピードがスピード閾値を超えたと判定されると、前記画像処理手段にて設定中のガンマ設定値を、記憶中のハレーションタイプ逆光時に対応したハレーションタイプ逆光用のガンマ設定値に設定変更するようにしたので、ハレーションタイプの逆光が発生したとしても、シャッタースピードに基づきハレーションタイプの逆光状態を判別できると共に、同ハレーションタイプ逆光用のガンマ設定値に基づき被写体の映像信号に画像処理(逆光補正)を施すことで、防犯上の観点からも、ハレーションタイプの逆光に適応した十分な画像精度を得ることができ、その結果、モニタ親機側に訪問者の鮮明な映像を提供することができる。
【００３６】
本願請求項１３記載のテレビドアホン装置の逆光補正方法は、本願請求項１２記載の方法に加えて、前記ガンマ設定値は、ニー設定値を含み、前記ガンマ設定値に基づき画像処理を施した後に前記ニー設定値に基づき画像処理を施すようにした。
【００３７】
従って、本願請求項１３記載のテレビドアホン装置の逆光補正方法によれば、本願請求項１２記載の方法の効果に加えて、前記ガンマ設定値が、ニー設定値を含み、前記ガンマ設定値に基づき画像処理を施した後に前記ニー設定値に基づき画像処理を施した、つまり、ガンマ設定値に基づき画像処理(ガンマ補正処理)を施すことで、逆光による被写体の映像が陰になるのを解消し、その後、ニー設定値に基づき画像処理（ニー補正処理）を施すことで、ガンマ補正前の明るい部分が白くなるのを解消することができ、その結果、モニタ親機側に訪問者の鮮明な映像を提供することができる。
【００３８】
（実施の形態１)
以下、図面に基づき本発明の第１の実施の形態を示すテレビドアホン装置について説明する。図１は第１の実施の形態を示すテレビドアホン装置内部の概略構成を示すブロック図である。
【００３９】
図１に示すテレビドアホン装置１は、例えば玄関外側に設置され、訪問者の来訪を通知する呼出機能及び、訪問者を撮像する撮像機能を備えたカメラ子機２と、例えば室内側に設置され、カメラ子機２と配線接続し、このカメラ子機２からの訪問者の映像信号をモニタ表示する表示機能及び、カメラ子機２を通じて訪問者と通話する通話機能を備えたモニタ親機３とを有している。
【００４０】
カメラ子機２は、後述する入射光の強さに応じて変動するシャッターパルスに応じて訪問者を撮像するＣＣＤ１１と、このＣＣＤ１１にて撮像した訪問者の映像信号をデジタル変換するＡ／Ｄ変換部１２と、このデジタル変換された映像信号を利得調整するＡＧＣ部１３と、この利得調整した映像信号を輝度信号（Ｙ信号）及び色信号（Ｃ信号）に分離するＹ／Ｃ分離部１４と、輝度信号に輝度処理を施すと共に、輝度信号から輝度レベルを検出するＹ系処理部１５と、この輝度処理を施した輝度信号にガンマ補正処理を施すガンマ補正部１６と、このガンマ補正処理を施した輝度信号にニー補正処理を施すニー補正部１７と、Ｙ／Ｃ分離部１４にて分離した色信号にホワイトバランス等の色処理を施すＣ系処理部１８と、ニー補正部１７にてニー補正処理を施した輝度信号及びＣ系処理部１８にて色処理を施した色信号を合成するマルチプレクサ（ＭＰＸ）部１９と、モニタ親機３とのインタフェースを司る子機側インタフェース２０と、Ｙ系処理部１５の輝度レベルに応じてシャッターパルスをＣＣＤ１１に出力する露出補正部２１と、シャッターパルスに応じてシャッタースピードを検出するシャッタースピード検出部２２と、例えばガンマ設定値、ニー設定値及びスピード閾値等の各種情報を記憶する記憶部２３と、後述するハレーションタイプ逆光用のガンマ設定値を指定する設定値ボタン２４と、後述するハレーションタイプ逆光識別用のスピード閾値を指定するスピード閾値ボタン２５と、このカメラ子機２全体を制御する子機側制御部２６とを有している。
【００４１】
ガンマ補正部１６は、通常時において通常ガンマ設定値に基づき輝度信号にガンマ補正処理を施すことで、逆光によって被写体の映像が陰になるのを解消する画像処理部である。
【００４２】
ニー補正部１７は、通常時において通常ニー設定値に基づき、ガンマ補正処理を施した輝度信号にニー補正処理を施すことで、ガンマ補正部１６にてガンマ補正前の明るい部分が白くなってしまうのを解消する画像処理部である。
【００４３】
設定値ボタン２４は、そのボタン操作に応じて記憶部２３に記憶中の複数のガンマ設定値及びニー設定値の内、ハレーションタイプ逆光時に適したハレーションタイプ逆光用のガンマ設定値及びニー設定値を指定する部位であって、同設定値ボタン２４にて指定されたハレーションタイプ逆光用のガンマ設定値及びニー設定値は記憶部２３の特定領域に記憶されるものである。
【００４４】
スピード閾値ボタン２５は、そのボタン操作に応じて記憶部２３に記憶中の複数のスピード閾値の内、ハレーションタイプ逆光識別用のスピード閾値を指定する部位であって、同スピード閾値ボタン２５にて指定されたハレーションタイプ逆光識別用のスピード閾値を指定する部位であって、同スピード閾値ボタン２５にて指定されたハレーションタイプ逆光識別用のスピード閾値は記憶部２３の特定領域に記憶されるものである。尚、ハレーションタイプ逆光識別用のスピード閾値は、シャッタースピードと比較してハレーションタイプの逆光状態であるか否かを判別するための閾値に相当するものである。
【００４５】
子機側制御部２６は、Ｙ系処理部１５にて検出した輝度レベルが目標値よりも明るいか否かを判定し、輝度レベルが目標値よりも明るいと判定されると、シャッターを絞る方向にシャッターパルスを出力させるべく、露出補正部２１を制御すると共に、輝度レベルが目標値よりも明るくないと判定されると、シャッターを開く方向にシャッターパルスを出力させるべく、露出補正部２１を制御するものである。
【００４６】
子機側制御部２６は、シャッタースピード検出部２２にてシャッタースピードを検出すると、このシャッタースピードがハレーションタイプ逆光識別用のスピード閾値を超えたか否かを判定し、シャッタースピードが同スピード閾値を超えたと判定されると、ハレーションタイプの逆光状態であると判断し、記憶部２３に記憶中のハレーションタイプ逆光用のガンマ設定値を読み出し、ガンマ補正部１６にて設定中の通常ガンマ設定値をハレーションタイプ逆光用のガンマ設定値に設定変更すると共に、記憶部２３に記憶中のハレーションタイプ逆光用のニー設定値を読み出し、ニー補正部１７にて設定中の通常ニー設定値をハレーションタイプ逆光用のニー設定値に設定変更するものである。
【００４７】
ガンマ補正部１６は、ハレーションタイプ逆光用のガンマ設定値に基づき輝度信号にガンマ補正処理を施すものである。さらに、ニー補正部１７は、ハレーションタイプ逆光用のニー補正値に基づき、ガンマ補正処理を施した輝度信号にニー補正処理を施すものである。
【００４８】
また、モニタ親機３は、カメラ子機２との通信インタフェースを司る親機側インタフェース３１と、親機側インタフェース３１を通じてカメラ子機２からの被写体の映像信号を表示出力する表示部３２と、ハレーションタイプ逆光用のガンマ設定値及びニー設定値に設定変更する逆光補正動作を起動させるための逆光補正ボタン３３と、ハレーションタイプ逆光用のガンマ設定値及びニー設定値を指定する親機側設定値ボタン３４と、ハレーションタイプ逆光識別用のスピード閾値を指定する親機側スピード閾値ボタン３５と、このモニタ親機３全体を制御する親機側制御部３６とを有している。
【００４９】
逆光補正ボタン３３は、カメラ子機２側にてシャッタースピードがスピード閾値を超えていなくても、そのボタン操作でハレーションタイプ逆光用のガンマ設定値及びニー設定値をカメラ子機２の記憶部２３から読み出し、ガンマ補正部１６及びニー補正部１７に設定中の通常ガンマ設定値及び通常ニー設定値をハレーションタイプ逆光用のガンマ設定値及びニー設定値に設定変更するものである。
【００５０】
親機側設定値ボタン３４は、そのボタン操作に応じて記憶部２３に記憶中の複数のガンマ設定値及びニー設定値の内、ハレーションタイプ逆光用のガンマ設定値及びニー設定値をモニタ親機３側で指定する部位であって、同親機側設定値ボタン３４にて指定されたハレーションタイプ逆光用のガンマ設定値及びニー設定値は記憶部２３の特定領域に記憶されるものである。
【００５１】
親機側スピード閾値ボタン３５は、そのボタン操作に応じて記憶部２３に記憶中の複数のスピード閾値の内、ハレーションタイプ逆光識別用のスピード閾値をモニタ親機３側で指定する部位であって、同親機側スピード閾値ボタン３５にて指定されたハレーションタイプ逆光識別用のスピード閾値をモニタ親機３側で指定する部位であって、同親機側スピード閾値ボタン３５にて指定されたハレーションタイプ逆光識別用のスピード閾値は記憶部２３の特定領域に記憶されるものである。
【００５２】
図２は同モニタ親機３の正面図である。
【００５３】
図２に示すモニタ親機３は、表示部３２、逆光補正ボタン３３、親機側設定値ボタン３４及び親機側スピード閾値ボタン３５の他に、カメラ子機２側の訪問者と通話するための通話ボタン３７が設けられている。
【００５４】
尚、請求項記載のテレビドアホン装置はテレビドアホン装置１、カメラ子機はカメラ子機２、モニタ親機はモニタ親機３、撮像手段はＣＣＤ１１、画像処理手段はガンマ補正部１６及びニー補正部１７、表示手段は表示部３２、記憶手段は記憶部２３、スピード検出手段はシャッタースピード検出部２２、スピード判定手段、制御手段は子機側制御部２６、設定値指定手段は設定値ボタン２４、スピード閾値指定手段はスピード閾値ボタン２５、親機側設定値指定手段は親機側設定値ボタン３４、親機側スピード閾値指定手段は親機側スピード閾値ボタン３５、逆光補正ボタンは逆光補正ボタン３３に相当するものである。
【００５５】
次に第1の実施の形態を示すテレビドアホン装置１の動作について説明する。図３は第１の実施の形態に関わるカメラ子機２内部の子機側逆光補正処理に関わる子機側制御部２６の処理動作を示すフロー図である。
【００５６】
図３に示す子機側逆光補正処理は、ハレーションタイプ逆光時に、ガンマ補正部１６及びニー補正部１７にて設定中の通常ガンマ設定値及び通常ニー設定値をハレーションタイプ逆光用のガンマ設定値及びニー設定値に設定変更し、被写体の映像信号に含まれる輝度信号に対してガンマ補正処理及びニー補正処理を施す処理である。
【００５７】
図３において子機側制御部２６は、ＣＣＤ１１による被写体の撮像動作を開始すると（ステップＳ１１）、ＣＣＤ１１による被写体の映像信号から輝度信号を分離して、Ｙ系処理部１５を通じて輝度レベルを検出する(ステップＳ１２)。
【００５８】
子機側制御部２６は、輝度レベルが目標値よりも明るいか否かを判定する(ステップＳ１３)。子機側制御部２６は、輝度レベルが目標値よりも明るいと判定されると、シャッターを絞るべく、露出補正部２１を制御する(ステップＳ１４)。
【００５９】
子機側制御部２６は、露出補正部２１を制御すると、シャッタースピード検出部２２を通じて露出補正部２１からのシャッターパルスに応じてシャッタースピードを検出する(ステップＳ１５)。
【００６０】
子機側制御部２６は、シャッタースピードを検出すると、シャッタースピードがハレーションタイプ逆光用のスピード閾値を超えたか否かを判定する(ステップＳ１６)。子機側制御部２６は、シャッタースピードが同スピード閾値を超えたと判定されると、ハレーションタイプ逆光用のガンマ設定値及びニー設定値を記憶部２３から読み出し(ステップＳ１７)、ガンマ補正部１６及びニー補正部１７にて設定中の通常ガンマ設定値及び通常ニー設定値を同ハレーションタイプ逆光用のガンマ設定値及びニー設定値に設定変更する(ステップＳ１８)。
【００６１】
子機側制御部２６は、ガンマ補正部１６にてハレーションタイプ逆光用のガンマ設定値に基づき輝度信号にガンマ補正処理を施すと共に、ニー補正部１７にてハレーションタイプ逆光用のニー設定値に基づき、同ガンマ補正処理を施した輝度信号にニー補正処理を施す(ステップＳ１９)。
【００６２】
さらに子機側制御部２６は、ニー補正処理を施した輝度信号及び、色処理を施された色信号をＭＰＸ部１９にて合成することで被写体の映像信号を生成し、子機側インタフェース２０を通じて同被写体の映像信号をモニタ親機３に出力することで(ステップＳ２０)、この処理動作を終了する。その結果、モニタ親機３では、ハレーションタイプ逆光時であっても、鮮明な被写体画像を表示部３２に表示出力することになる。
【００６３】
また、子機側制御部２６は、ステップＳ１３にて輝度レベルが目標値よりも明るくないと判定されると、シャッターを開くべく、露出補正部２１を制御する(ステップＳ２１)。
【００６４】
子機側制御部２６は、露出補正部２１を制御すると、ガンマ補正部１６にて設定中の通常ガンマ設定値に基づき輝度信号にガンマ補正処理を施すと共に、ニー補正部１７にて設定中の通常ニー設定値に基づき、同ガンマ補正処理を施した輝度信号にニー補正処理を施し(ステップＳ２２)、ステップＳ２０に移行する。
【００６５】
また、子機側制御部２６は、ステップＳ１６にてシャッタースピードがハレーションタイプ逆光識別用のスピード閾値を超えていないと判定されると、通常のガンマ設定値及びニー設定値に基づき、輝度信号にガンマ補正処理及びニー補正処理を施すべく、ステップＳ２２に移行する。
【００６６】
図３に示す子機側逆光補正処理によれば、シャッタースピードがハレーションタイプ逆光識別用のスピード閾値を超えたと判定されると、ハレーションタイプの逆光であると判断し、ハレーションタイプ逆光時に適したハレーションタイプ逆光用のガンマ設定値及びニー設定値を記憶部２３から読み出し、ガンマ補正部１６及びニー補正部１７にて設定中の通常ガンマ設定値及び通常ニー設定値をハレーションタイプ逆光用のガンマ設定値及びニー設定値に設定変更し、同設定変更したハレーションタイプ逆光用のガンマ設定値及びニー設定値に基づき、同ガンマ補正部１６及びニー補正部１７にて被写体の輝度信号にガンマ補正処理及びニー補正処理を施すようにしたので、ハレーションタイプの逆光が発生したとしても、シャッタースピードに基づきハレーションタイプの逆光状態を判別できると共に、同ハレーションタイプ逆光用のガンマ設定値に基づき被写体の映像信号に画像処理(逆光補正)を施すことで、防犯上の観点からも、ハレーションタイプの逆光に適応した十分な画像精度を得ることができ、その結果、モニタ親機３側に訪問者の鮮明な映像を提供することができる。尚、仮にシャッタースピードが比較的に遅い場合、すなわち通常状態においてもハレーションタイプ逆光用のガンマ設定値及びニー設定値を設定したままだと、ノイズ的な画像や全体的に白っぽくなり画質が悪くなってしまうことも考えられるが、図３に示す子機側逆光補正処理によれば、シャッタースピードがハレーションタイプ逆光識別用のスピード閾値を超えた場合にのみ、ハレーションタイプ逆光用のガンマ設定値及びニー設定値に基づくガンマ補正処理及びニー補正処理を実行することになるため、通常状態においても鮮明な訪問者の映像を提供できることは言うまでもない。
【００６７】
第１の実施の形態によれば、ハレーションタイプの逆光が発生したとしても、シャッタースピードに基づきハレーションタイプの逆光状態を判別できると共に、同ハレーションタイプ逆光用のガンマ設定値に基づき被写体の映像信号に画像処理(逆光補正)を施すことで、防犯上の観点からも、ハレーションタイプの逆光に適応した十分な画像精度を得ることができ、その結果、モニタ親機３側に訪問者の鮮明な映像を提供することができる。
【００６８】
第１の実施の形態によれば、カメラ子機２側でハレーションタイプ逆光用のガンマ設定値及びニー設定値に基づき被写体の映像信号に含まれる輝度信号にガンマ補正処理及びニー補正処理を施したので、ハレーションタイプ逆光に適応した十分な画像精度の映像信号をモニタ親機３側に提供することができる。
【００６９】
第１の実施の形態によれば、カメラ子機２側の設定値ボタン２４にて複数のガンマ設定値及びニー設定値からハレーションタイプ逆光用のガンマ設定値及びニー設定値を指定するようにしたので、ユーザは、同カメラ子機２の設置時に設置環境に適したハレーションタイプ逆光用のガンマ設定値及びニー設定値を現場対応で調整することができる。尚、設定値ボタン２４は、図４（Ａ）に示すようにディップスイッチ、図４（Ｂ）に示すようにスライドスイッチで構成するようにしても良い。
【００７０】
第１の実施の形態によれば、カメラ子機２側のスピード閾値ボタン２５にて複数のスピード閾値からハレーションタイプ逆光識別用のスピード閾値を指定するようにしたので、ユーザは、同カメラ子機２の設置時に設置環境に適したハレーションタイプ逆光識別用のスピード閾値を現場対応で指定することができる。
【００７１】
第１の実施の形態によれば、モニタ親機３側の親機側設定値ボタン３４にて複数のガンマ設定値及びニー設定値からハレーションタイプ逆光用のガンマ設定値及びニー設定値を指定するようにしたので、ユーザは、モニタ親機３側の表示部３２の映像を確認しながら、カメラ子機２の設置時に設置環境に適したハレーションタイプ逆光用のガンマ設定値及びニー設定値を現場対応で遠隔調整することができる。また、同様にユーザは、カメラ子機２の設置時だけでなく、運用時においても、モニタ親機３側の表示部３２の映像を確認しながら、現在設置環境に適したハレーションタイプ逆光用のガンマ設定値及びニー設定値をリアルタイムに遠隔調整することもできる。
【００７２】
第１の実施の形態によれば、モニタ親機３側の親機側スピード閾値ボタン３５にて複数のスピード閾値からハレーションタイプ逆光識別用のスピード閾値を指定するようにしたので、ユーザは、モニタ親機３側の表示部３２の映像を確認しながら、カメラ子機２の設置時に設置環境に適したハレーションタイプ逆光識別用のスピード閾値を現場対応で遠隔調整することができる。また、同様にユーザは、カメラ子機２の設置時だけでなく、運用時においても、モニタ親機３側の表示部３２の映像を確認しながら、現在設置環境に適したハレーションタイプ逆光識別用のスピード閾値をリアルタイムに遠隔調整することもできる。
【００７３】
第１の実施の形態によれば、モニタ親機３に配置した逆光補正ボタン３３のボタン操作を検出すると、ガンマ補正部１６及びニー補正部１７にて設定中の通常ガンマ設定値及び通常ニー設定値を、ハレーションタイプ逆光用のガンマ設定値及びニー設定値に設定変更するようにしたので、シャッタースピードがスピード閾値を超えなくても、ユーザは、モニタ親機３側の遠隔操作でハレーションタイプ逆光用のガンマ設定値及びニー設定値に設定変更することができる。
【００７４】
尚、上記第１の実施の形態においては、カメラ子機２側の記憶部２３に記憶中の複数のスピード閾値からハレーションタイプ逆光識別用のスピード閾値を一つだけ設定するようにしたが、ハレーションタイプ逆光識別用のスピード閾値を複数設定するようにしても良く、この場合の実施の形態につき説明する。
【００７５】
(実施の形態２)
図５は第２の実施の形態に関わるカメラ子機２内部の記憶部２３Ａの記憶内容を端的に示す説明図である。尚、第１の実施の形態を示すテレビドアホン装置１と同一のものには同一符号を付すことで、その重複する構成及び動作の説明については省略する。
【００７６】
図５に示す記憶部２３Ａは、三段階のハレーションタイプ逆光識別用のスピード閾値として第１スピード閾値、第２スピード閾値及び第３スピード閾値を記憶すると共に、第１スピード閾値に対応したハレーションタイプ逆光用の第１ガンマ設定値及び第１ニー設定値、第２スピード閾値に対応したハレーションタイプ逆光用の第２ガンマ設定値及び第２ニー設定値、第３スピード閾値に対応したハレーションタイプ逆光用の第３ガンマ設定値及び第３ニー設定値を記憶管理している。尚、シャッタースピードが速くなるにつれてハレーションタイプの逆光状態も酷くなることから、ハレーションタイプ逆光識別用の各スピード閾値の関係は、第１スピード閾値＜第２スピード閾値＜第３スピード閾値の関係となる。
【００７７】
子機側制御部２６は、シャッタースピード検出部２２にてシャッタースピードを検出すると、同シャッタースピードと記憶部２３Ａに記憶中の第１スピード閾値、第２スピード閾値及び第３スピード閾値とを夫々比較し、比較結果に基づき現在のシャッタースピードに対応する最適なスピード閾値を指定し、この最適なスピード閾値に対応するハレーションタイプ逆光用のガンマ設定値及びニー設定値を記憶部２３Ａから読み出し、ガンマ補正部１６及びニー補正部１７にて設定中の通常ガンマ設定値及び通常ニー設定値をハレーションタイプ逆光用のガンマ設定値及びニー設定値に設定変更するものである。
【００７８】
尚、請求項記載のスピード比較手段及び制御手段は子機側制御部２６に相当するものである。
【００７９】
次に第２の実施の形態を示すテレビドアホン装置１の動作について説明する。図６は第２の実施の形態に関わるカメラ子機２内部の子機側逆光補正処理に関わる子機側制御部２６の処理動作を示すフロー図である。
【００８０】
図６に示す子機側逆光補正処理は、例えばハレーションタイプ逆光識別用のスピード閾値を三段階に設定し、現在のシャッタースピードに対応した最適なスピード閾値を指定し、この最適なスピード閾値に対応したハレーションタイプ逆光用のガンマ設定値及びニー設定値を記憶部２３Ａから読み出し、ガンマ補正部１６及びニー補正部１７にて設定中の通常ガンマ設定値及び通常ニー設定値を同読み出したハレーションタイプ逆光用のガンマ設定値及びニー設定値に設定変更し、ハレーションタイプの逆光状態毎に、被写体の映像信号に含まれる輝度信号に対してガンマ補正処理及びニー補正処理を施す処理である。
【００８１】
図６において子機側制御部２６は、ＣＣＤ１１による被写体の撮像動作を開始すると(ステップＳ３１)、ＣＣＤ１１による被写体の映像信号から輝度信号を分離して、Ｙ系処理部１５を通じて輝度レベルを検出する(ステップＳ３２)。
【００８２】
子機側制御部２６は、輝度レベルが目標値よりも明るいか否かを判定する(ステップＳ３３)。子機側制御部２６は、輝度レベルが目標値よりも明るいと判定されると、シャッターを絞るべく、露出補正部２１を制御する(ステップＳ３４)。
【００８３】
子機側制御部２６は、露出補正部２１を制御すると、シャッタースピード検出部２２を通じて露出補正部２１からのシャッターパルスに応じてシャッタースピードを検出する(ステップＳ３５)。
【００８４】
子機側制御部２６は、シャッタースピードを検出すると、シャッタースピードがハレーションタイプ逆光識別用の第１スピード閾値を超えたか否かを判定する(ステップＳ３６)。子機側制御部２６は、シャッタースピードが第１スピード閾値を超えたと判定されると、同シャッタースピードがハレーションタイプ逆光識別用の第２スピード閾値を超えたか否かを判定する(ステップＳ３７)。
【００８５】
子機側制御部２６は、同シャッタースピードが第２スピード閾値を超えたと判定されると、同シャッタースピードがハレーションタイプ逆光識別用の第３スピード閾値を超えたか否かを判定する(ステップＳ３８)。
【００８６】
子機側制御部２６は、同シャッタースピードが第３スピード閾値を超えたと判定されると、第３スピード閾値に対応したハレーションタイプ逆光用の第３ガンマ設定値及び第３ニー設定値を記憶部２３Ａから読み出す(ステップＳ３９)。
【００８７】
そして、子機側制御部２６は、ガンマ補正部１６及びニー補正部１７に設定中のガンマ設定値及びニー設定値を同読み出したハレーションタイプ逆光用のガンマ設定値及びニー設定値に設定変更し(ステップＳ４０)、ガンマ補正部１６にてハレーションタイプ逆光用のガンマ設定値に基づき輝度信号にガンマ補正処理を施すと共に、ニー補正部１７にてハレーションタイプ逆光用のニー設定値に基づき、同ガンマ補正処理を施した輝度信号にニー補正処理を施す(ステップＳ４１)。
【００８８】
さらに子機側制御部２６は、ニー補正処理を施した輝度信号及びＣ系処理部に色処理を施した色信号をＭＰＸ部１９にて合成することで被写体の映像信号を生成し、子機側インタフェース２０を通じて同被写体の映像信号をモニタ親機３に出力することで(ステップＳ４２)、この処理動作を終了する。その結果、モニタ親機３では、ハレーションタイプ逆光時であっても、ハレーションタイプ逆光の程度に応じた、３段階の鮮明な被写体画像を表示部３２に表示出力することになる。
【００８９】
また、子機側制御部２６は、ステップＳ３３にて輝度レベルが目標値よりも明るくないと判定されると、シャッターを開くべく、露出補正部２１を制御する(ステップＳ４３)。子機側制御部２６は、露出制御部２１を制御すると、ガンマ補正部１６にて通常のガンマ設定値に基づき輝度信号にガンマ補正処理を施すと共に、ニー補正部１７にて通常のニー設定値に基づき、同ガンマ補正処理を施した輝度信号にニー補正処理を施し(ステップＳ４４)、ステップＳ４２に移行する。
【００９０】
また、子機側制御部２６は、ステップＳ３６にてシャッタースピードがハレーションタイプ逆光識別用の第１スピード閾値を超えていないと判定されると、通常のガンマ設定値及びニー設定値に基づき、輝度信号にガンマ補正処理及びニー補正処理を施すべく、ステップＳ４４に移行する。
【００９１】
また、子機側制御部２６は、ステップＳ３７にてシャッタースピードがハレーションタイプ逆光識別用の第２スピード閾値を超えていないと判定されると、第１スピード閾値に対応したハレーションタイプ逆光用の第１ガンマ設定値及び第１ニー設定値を記憶部２３Ａから読み出し(ステップＳ４５)、ガンマ補正部１６及びニー補正部１７にて設定中のガンマ設定値及びニー設定値を同読み出した第１ガンマ設定値及び第１ニー設定値に設定変更すべく、ステップＳ４０に移行する。
【００９２】
また、子機側制御部２６は、ステップＳ３８にてシャッタースピードがハレーションタイプ逆光識別用の第３スピード閾値を超えていないと判定されると、第２スピード閾値に対応したハレーションタイプ逆光用の第２ガンマ設定値及び第２ニー設定値を記憶部２３Ａから読み出し(ステップＳ４６)、ガンマ補正部１６及びニー補正部１７にて設定中のガンマ設定値及びニー設定値を同読み出した第２ガンマ設定値及び第２ニー設定値に設定変更すべく、ステップＳ４０に移行する。
【００９３】
図６に示す子機側逆光補正処理によれば、ハレーションタイプ逆光識別用のスピード閾値を三段階に設定すると共に、同スピード閾値毎にハレーションタイプ逆光用のガンマ設定値及びニー設定値を記憶管理しておき、現在のシャッタースピードに対応した最適なスピード閾値を指定し、この最適なスピード閾値に対応したハレーションタイプ逆光用のガンマ設定値及びニー設定値を読み出し、ガンマ補正部１６及びニー補正部１７にて設定中のガンマ設定値及びニー設定値を同読み出したハレーションタイプ逆光用のガンマ設定値及びニー設定値に設定変更し、これらはレーションタイプ逆光用のガンマ設定値及びニー設定値に基づき、被写体の映像信号に含まれる輝度信号に対してガンマ補正処理及びニー補正処理を施すようにしたので、ハレーションタイプの逆光が発生したとしても、シャッタースピードに基づきハレーションタイプの逆光状態を３段階に判別できると共に、逆光状態毎に異なる同ハレーションタイプ逆光用のガンマ設定値及びニー設定値に基づき被写体の映像信号に画像処理(逆光補正)を施すことで、防犯上の観点からも、ハレーションタイプの逆光の程度に適応したきめ細かい十分な画像精度を得ることができ、その結果、モニタ親機３側に訪問者の鮮明な映像を提供することができる。
【００９４】
第２の実施の形態によれば、ハレーションタイプ逆光識別用のスピード閾値毎にハレーションタイプ逆光時に対応したハレーションタイプ逆光用のガンマ設定値及びニー設定値を記憶部２３Ａに夫々記憶しておき、現在のシャッタースピードと各スピード閾値とを比較し、この比較結果に基づき最適なスピード閾値を指定し、ガンマ補正部１６及びニー補正部１７にて設定中のガンマ設定値及びニー設定値を、記憶部２３Ａに記憶中の最適なスピード閾値に対応するハレーションタイプ逆光用のガンマ設定値及びニー設定値に設定変更するようにしたので、ハレーションタイプの逆光が発生したとしても、シャッタースピードに基づきハレーションタイプの逆光状態を３段階に判別できると共に、逆光状態毎に異なる同ハレーションタイプ逆光用のガンマ設定値及びニー設定値に基づき被写体の映像信号に画像処理(逆光補正)を施すことで、防犯上の観点からも、ハレーションタイプの逆光の程度に適応したきめ細かい十分な画像精度を得ることができ、その結果、モニタ親機３側に訪問者の鮮明な映像を提供することができる。
【００９５】
尚、上記第２の実施の形態においては、ハレーションタイプ逆光識別用のスピード閾値を３段階に分けて３段階のハレーションタイプの逆光状態を判別し、同逆光状態に対応したハレーションタイプ逆光用のガンマ設定値及びニー設定値をガンマ補正部１６及びニー補正部１７に設定変更するようにしたが、ハレーションタイプ逆光識別用のスピード閾値及び、同スピード閾値に対応するハレーションタイプ逆光用のガンマ設定値及びニー設定値を増やせば、３段階だけでなく、それ以上のきめ細かい訪問者の鮮明な映像を提供することができることは言うまでもない。
【００９６】
また、上記第１及び第２の実施の形態においては、カメラ子機２側にハレーションタイプ逆光を補正する逆光補正処理機能を持たせるようにしたが、同カメラ子機２にではなく、モニタ親機３側に同機能を備えるようにしても良く、この場合の実施の形態につき説明する。
【００９７】
(実施の形態３)
図７は第３の実施の形態を示すテレビドアホン装置内部の概略構成を示すブロック図である。尚、第１の実施の形態を示すテレビドアホン装置１と同一のものには同一符号を付すことで、その重複する構成及び動作の説明について省略する。
【００９８】
図７に示すテレビドアホン装置１Ａは、既存の従来のカメラ子機２Ａと、このカメラ子機２Ａに配線接続するモニタ親機３Ａとを有し、カメラ子機２Ａは、ＣＣＤ１１、Ａ／Ｄ変換部１２、ＡＧＣ部１３、Ｙ／Ｃ分離部１４、Ｙ系処理部１５、Ｃ系処理部１８、ＭＰＸ部１９、子機側インタフェース２０、子機側制御部２６Ａ及び露出補正部２１を備えている。尚、カメラ子機２Ａは、従来のカメラ子機を例に挙げているため、ガンマ設定値やニー設定値を記憶する記憶部２３（２３Ａ）、ガンマ補正部１６、ニー補正部１７やシャッタースピード検出部２２等を備えていないものとする。また、子機側制御部２６Ａは、当然ながら第１及び第２の実施の形態に関わる子機側制御部２６とは異なるものとする。
【００９９】
また、モニタ親機３Ａは、カメラ子機２Ａとの通信インタフェースを司る親機側インタフェース５１と、この親機側インタフェース５１を通じてカメラ子機２Ａからの被写体の映像信号を輝度信号及び色信号に分離する親機側Ｙ／Ｃ分離部５２と、この親機側Ｙ／Ｃ分離部５２にて分離した輝度信号に通常ガンマ設定値に基づくガンマ補正処理を施す親機側ガンマ補正部５３と、この親機側ガンマ補正部５３にてガンマ補正処理を施した輝度信号に通常ニー設定値に基づくニー補正処理を施す親機側ニー補正部５４と、この親機側ニー補正部５４にてニー補正処理を施した輝度信号及び親機側Ｙ／Ｃ分離部５２にて分離した色信号を合成して被写体の映像信号を生成する親機側ＭＰＸ部５５と、この親機側ＭＰＸ部５５にて生成した被写体の映像信号をモニタ出力する表示部５６と、複数のガンマ設定値及びニー設定値を記憶する親機側記憶部５７と、ハレーションタイプ逆光用のガンマ設定値及びニー設定値を指定する親機側設定値ボタン５８と、後述する親機側逆光補正処理を起動する逆光補正ボタン５９と、このモニタ親機３Ａ全体を制御する親機側制御部６０とを有している。
【０１００】
親機側設定値ボタン５８は、そのボタン操作に応じて親機側記憶部５７に記憶中の複数のガンマ設定値及びニー設定値の内、ハレーションタイプ逆光時に適したハレーションタイプ逆光用のガンマ設定値及びニー設定値を指定する部位であって、同親機側設定値ボタン５８にて指定されたハレーションタイプ逆光用のガンマ設定値及びニー設定値は親機側記憶部５７の特定領域に記憶されるものである。
【０１０１】
親機側制御部６０は、逆光補正ボタン５９のボタン操作を検出すると、親機側記憶部５７からハレーションタイプ逆光用のガンマ設定値及びニー設定値を読み出し、親機側ガンマ補正部５３及び親機側ニー補正部５４に設定中の通常ガンマ設定値及び通常ニー設定値を同ハレーションタイプ逆光用のガンマ設定値及びニー設定値に設定変更するものである。
【０１０２】
そして、親機側ガンマ補正部５３は、ハレーションタイプ逆光用のガンマ設定値に基づき、輝度信号にガンマ補正処理を施すと共に、親機側ニー補正部５４は、同ガンマ補正処理を施した輝度信号に、同ハレーションタイプ逆光用のニー設定値に基づくニー補正処理を施すものである。
【０１０３】
尚、請求項記載のテレビドアホン装置はテレビドアホン装置１Ａ、カメラ子機はカメラ子機２Ａ、モニタ親機はモニタ親機３Ａ、撮像手段はＣＣＤ１１、表示手段は表示部５６、親機側記憶手段は親機側記憶部５７、親機側画像処理手段は親機側ガンマ補正部５３及び親機側ニー補正部５４、親機側設定値指定手段は親機側設定値ボタン５８、逆光補正ボタンは逆光補正ボタン５９、親機側制御手段は親機側制御部６０に相当するものである。
【０１０４】
次に第３の実施の形態を示すテレビドアホン装置１Ａの動作について説明する。図８は第３の実施の形態に関わるモニタ親機３Ａ内の親機側逆光補正処理に関わる親機側制御部６０の処理動作を示すフローチャートである。
【０１０５】
図８に示す親機側逆光補正処理は、カメラ子機２Ａ側ではなく、モニタ親機３Ａ側でハレーションタイプ逆光時に適したガンマ設定値及びニー設定値に基づき被写体の映像信号に含まれる輝度信号に対してガンマ補正処理及びニー補正処理を施すことでハレーションタイプ逆光に適した逆光補正処理を実現する処理である。
【０１０６】
図８において親機側制御部６０は、逆光補正ボタン５９のボタン操作を検出したか否かを判定する(ステップＳ５１)。
【０１０７】
親機側制御部６０は、逆光補正ボタン５９のボタン操作を検出したのであれば、ハレーションタイプ逆光用のガンマ設定値及びニー設定値を親機側記憶部５７から読み出し(ステップＳ５２)、親機側ガンマ補正部５３及び親機側ニー補正部５４にて設定中のガンマ設定値及びニー設定値を同読み出したハレーションタイプ逆光用のガンマ設定値及びニー設定値に設定変更し(ステップＳ５３)、親機側ガンマ補正部５３にて被写体の輝度信号に対して同ハレーションタイプ逆光用のガンマ設定値に基づくガンマ補正処理を施した後、親機側ニー補正部５４にて同ガンマ補正処理を施した輝度信号に対して同ハレーションタイプ逆光用のニー設定値に基づくニー補正処理を施し(ステップＳ５４)、同ニー補正処理を施した輝度信号及び親機側Ｙ／Ｃ分離部５２で分離された色信号を親機側ＭＰＸ部５５にて合成することで被写体の映像信号を生成し、この映像信号を表示部５６に表示出力させ(ステップＳ５５)、この処理動作を終了する。
【０１０８】
また、親機側制御部６０は、ステップＳ５１にて逆光補正ボタン５９のボタン操作を検出したのでなければ、親機側ガンマ補正部５３にて設定中の通常ガンマ設定値に基づき、輝度信号に対してガンマ補正処理を施すと共に、親機側ニー補正部５４にて通常ニー設定値に基づき、同ガンマ補正処理を施した輝度信号に対してニー補正処理を施すことで(ステップＳ５６)、同輝度信号及び色信号を合成して映像信号を表示部５６に表示出力させるべく、ステップＳ５５に移行する。
【０１０９】
図８に示す親機側逆光補正処理によれば、モニタ親機３Ａ側にて逆光補正ボタン５９のボタン操作を検出すると、ハレーションタイプ逆光用のガンマ設定値及びニー設定値を親機側記憶部５７から読み出し、親機側ガンマ補正部５３及び親機側ニー補正部５４にて設定中のガンマ設定値及びニー設定値を同ハレーションタイプ逆光用のガンマ設定値及びニー設定値に設定変更し、同設定変更したハレーションタイプ逆光用のガンマ設定値及びニー設定値に基づき、同親機側ガンマ補正部５３及び親機側ニー補正部５４にて被写体の輝度信号にガンマ補正処理及びニー補正処理を施すようにしたので、ハレーションタイプの逆光が発生したとしても、モニタ親機３Ａ側で同ハレーションタイプ逆光用のガンマ設定値及びニー設定値に基づき被写体の映像信号に画像処理(逆光補正)を施すことで、防犯上の観点からも、ハレーションタイプの逆光に適応した十分な画像精度を得ることができ、その結果、訪問者の鮮明な映像を得ることができる。
【０１１０】
第３の実施の形態によれば、既存のカメラ子機２Ａに変更を加えることなく、ハレーションタイプの逆光が発生したとしても、モニタ親機３側で同ハレーションタイプ逆光用のガンマ設定値及びニー補正値に基づき被写体の映像信号に画像処理(逆光補正)を施すことで、防犯上の観点からも、ハレーションタイプの逆光に適応した十分な画像精度を得ることができ、その結果、訪問者の鮮明な映像を得ることができる。また、既存のテレビドアホン装置のモニタ親機だけを変え、既存のカメラ子機に変更を加える必要がないため、本願発明のシステム導入に要するコストを大幅に軽減することができる。
【０１１１】
第３の実施の形態によれば、モニタ親機３Ａ側の親機側設定値ボタン５８にて複数のガンマ設定値及びニー設定値からハレーションタイプ逆光用のガンマ設定値及びニー設定値を指定するようにしたので、ユーザは、モニタ親機３Ａ側の表示部５６の映像を確認しながら、同モニタ親機３Ａの設置時にカメラ子機２Ａの設置環境に適したハレーションタイプ逆光用のガンマ設定値及びニー設定値を現場対応で調整することができる。また、同様にユーザは、カメラ親機３Ａの設置時だけでなく、運用時においても、モニタ親機３Ａ側の表示部５６の映像を確認しながら、現在設置環境に適したハレーションタイプ逆光用のガンマ設定値及びニー設定値をリアルタイムに遠隔調整することもできる。
【産業上の利用可能性】
【０１１２】
本発明のテレビドアホン装置によれば、前記撮像手段へのシャッターパルスに応じてシャッタースピードを検出し、このシャッタースピードがスピード閾値を超えたと判定されると、前記画像処理手段にて設定中のガンマ設定値を、前記記憶手段に記憶中のハレーションタイプ逆光用のガンマ設定値に設定変更するようにしたので、ハレーションタイプの逆光が発生したとしても、シャッタースピードに基づきハレーションタイプの逆光状態を判別できると共に、同ハレーションタイプ逆光用のガンマ設定値に基づき被写体の映像信号に画像処理(逆光補正)を施すことで、防犯上の観点からも、ハレーションタイプの逆光に適応した十分な画像精度を得ることができ、その結果、モニタ親機側に訪問者の鮮明な映像を提供することができるため、一般住宅用テレビドアホン装置は勿論のこと、集合住宅用テレビドアホン装置等にも有用である。
【図面の簡単な説明】
【０１１３】
【図１】本発明の第１の実施の形態を示すテレビドアホン装置内部の概略構成を示すブロック図
【図２】第１の実施の形態に関わるモニタ親機の正面図
【図３】第１の実施の形態に関わるカメラ子機内部の子機側逆光補正処理に関わる子機側制御部の処理動作を示すフロー図
【図４】第１の実施の形態に関わるカメラ子機の背面図    Ａ）ディップスイッチタイプ    Ｂ）スライドスイッチタイプ
【図５】第２の実施の形態に関わるカメラ子機内部の記憶部の記憶内容を端的に示す説明図
【図６】第２の実施の形態に関わるカメラ子機内部の子機側逆光補正処理に関わる子機側制御部の処理動作を示すフロー図
【図７】第３の実施の形態を示すテレビドアホン装置内部の概略構成を示すブロック図
【図８】第３の実施の形態に関わるモニタ親機内部の親機側逆光補正処理に関わる親機側制御部の処理動作を示すフロー図
【符号の説明】
【０１１４】
１  テレビドアホン装置
１Ａ  テレビドアホン装置
２  カメラ子機
２Ａ  カメラ子機
３  モニタ親機
３Ａ  モニタ親機
１１  ＣＣＤ(撮像手段)
１６  ガンマ補正部(画像処理手段)
１７  ニー補正部(画像処理手段)
２２  シャッタースピード検出部（スピード検出手段）
２３  記憶部（記憶手段）
２３Ａ  記憶部（記憶手段）
２４  設定値ボタン（設定値指定手段）
２５  スピード閾値ボタン（スピード閾値指定手段）
２６  子機側制御部（制御手段、スピード判定手段、スピード比較手段）
３２  表示部(表示手段)
３３  逆光補正ボタン
３４  親機側設定値ボタン（親機側設定値指定手段）
３５  親機側スピード閾値ボタン（親機側スピード閾値指定手段）
５３  親機側ガンマ補正部(親機側画像処理手段)
５４  親機側ニー補正部（親機側画像処理手段）
５６  表示部(表示手段)
５７  親機側記憶部(親機側記憶手段)
５８  親機側設定値ボタン(親機側設定値指定手段)
５９  逆光補正ボタン
６０  親機側制御部(親機側制御手段)
【図１】
2006325132.tif 000003
【図２】
2006325132.tif 000004
【図３】
2006325132.tif 000005
【図４】
2006325132.tif 000006
【図５】
2006325132.tif 000007
【図６】
2006325132.tif 000008
【図７】
2006325132.tif 000009
【図８】
2006325132.tif 000010